(57)【要約】【課題】アップハンドルとフラットハンドルの乗り物に、手袋内蔵の暖かいハンドルカバーを提供する。【解決手段】アップハンドルの乗り物に対しては、筒状のカバーの内側に手袋を、筒状のカバーの一方の口と手袋の口を一致させて合体し、筒状のカバーの他方の口に装着用紐を取り付けた、本発明のアップハンドル用ハンドルカバーとし、フラットハンドルの乗り物に対しては、筒状のカバーの内側に手袋を、筒状のカバーの一方の口と手袋の口を一致させて合体し、筒状のカバーの他方の口の親指側に、スリット開きと装着用紐を設け、筒状カバーの他方の口を閉じた、本発明のフラットハンドル用ハンドルカバーとすることで、本発明のハンドルカバーは手を差し込むだけで、手袋をはめた状態で乗り物のハンドルを握ることができる。【選択図】図１
2020147125.tif 000002
【特許請求の範囲】
【請求項１】
手袋を覆う筒状のカバーの一方の口と、手袋の口が一致し、筒状のカバーの他方の口に、装着用紐のあるハンドルカバー。
【請求項２】
手袋を覆う筒状のカバーの一方の口と、手袋の口が一致し、筒状のカバーの他方の口の親指側に、スリット開きと装着用紐を設け、筒状カバーの他方の口を閉じたハンドルカバー。
【発明の詳細な説明】
【技術分野】
【０００１】
本発明は、自転車、オートバイ、ベビーカー、車いすなどの車のハンドルに装着するハンドルカバーに関するものである。
【背景技術】
【０００２】
アップハンドル自転車用の一般的なハンドルカバーは、風上にあるハンドルカバーの装着用の穴を紐で自転車に結び付けて装着するが、風上から隙間風が入りやすく、冷えたブレーキレバーの操作は苦痛であり、手の防寒にはハンドルカバーだけでは不完全であった。
先の出願の特願２０１４−１０１８３０は、ハンドルカバーの平面部に指先を可動できる状態にした手袋を合体することで、隙間風を防ぐものである。
この先の出願の特願２０１４−１０１８３０の発明が解決しようとする課題は隙間風を防ぐことと共に、ハンドルカバーのデザイン性向上のために、ハンドルカバーを小さくすることであり、そのためにハンドルカバー本体は、ブレーキを包み込まないハンドル上部を覆う平面形態としていた。
【０００３】
しかし、電動自転車の場合、軽い力でペダルがこげるためハンドルを握りしめる必要がなく、瞬時に速度が出るため、より早いブレーキ操作が必要となるため、ブレーキに指をかけたまま手の平を広げてハンドルを握ることが多くあり、
先の出願の特願２０１４−１０１８３０の小さな平面形態のハンドルカバーではカバーと合体している手袋の指先がカバーからはみ出すという問題点が生じる。
【０００４】
フラットハンドル自転車やオートバイのハンドルカバーにおいては、ハンドルカバーの内側に手袋を合体しているものは見当たらない。
【先行技術文献】
【特許文献】
【０００５】
【特許文献１】特願２０１４−１０１８３０
【発明の概要】
【発明が解決しようとする課題】
【０００６】
アップハンドル、フラットハンドルの乗り物に、手袋内蔵の暖かいハンドルカバーを提供する。
【課題を解決するための手段】
【０００７】
本発明は、手袋を覆う筒状のカバーの一方の口と、手袋の口が一致し、筒状のカバーの他方の口に、装着用紐のあるハンドルカバーであり、前記、装着用紐のある口から乗り物のハンドルグリップとブレーキ全体に通して被せ、乗り物のハンドルに、前記、装着用紐で結び付けて装着する。
【０００８】
また、フラットハンドルの乗り物においては、手袋を覆う筒状のカバーの一方の口と、手袋の口が一致し、筒状のカバーの他方の口の親指側に、スリット開きと装着用紐を設け、筒状カバーの他方の口を閉じたハンドルカバーとし、
前記、スリット開きから、乗り物のハンドルグリップとブレーキに被せ、乗り物のハンドルに、前記、装着用紐で結び付けて装着する。
【発明の効果】
【０００９】
本発明のハンドルカバーは筒状であるため、カバーの内側の手袋がはみ出すことはなく、筒状のカバーの一方の口と、筒状のカバーの内側の手袋の口を一致することで、本発明のハンドルカバーは、手をハンドルカバーに差し込むだけで手袋をはめた状態で乗り物のハンドルを握ることができる。
また、カバーは防水素材とすることで、雨や雪からも手袋を守ることができる。
【図面の簡単な説明】
【００１０】
【図１】アップハンドル用ハンドルカバーの平面図である。
【図２】電動アップハンドル自転車用の透明窓付きハンドルカバーの一例である。
【図３】アップハンドル用ハンドルカバーの装着口の図である。
【図４】アップハンドル用ハンドルカバーを手の差し入れ口から見た図である。
【図５】透明窓付きのアップハンドル用ハンドルカバーを電動アップハンドル自転車に装着途中の図である。
【図６】フラットハンドル用ハンドルカバーの平面図である。
【図７】フラットハンドル用ハンドルカバーをフラットハンドル自転車に装着している図であり、左下の図はAの断面図である。
【図８】フラットハンドル用ハンドルカバーをオートバイに装着している一例である。
【発明を実施するための形態】
【００１１】
図１はアップハンドル用ハンドルカバー本体１０の内側の手袋２を点線で示したアップハンドル用ハンドルカバーの平面図である。
筒状のカバー１の内側に手袋２を、筒状のカバー１の一方の口と手袋２の口を一致したハンドルカバーの手の差し入れ口４があり、筒状カバー１の他方の口には装着用紐３を通したハンドルカバーの装着口５があるアップハンドル用ハンドルカバー本体１０である。
図２は筒状カバー１に電動自転車用の透明窓８を作った、透明窓付きのアップハンドル用ハンドルカバーの一例である。
この一例は、透明窓８の中心に手袋２を親指６が中心になるように合わせ、筒状カバー１に手袋２を左右対称に取り付けている。
このことで左右のハンドルカバーを同型にすることができ、安価に提供することができる。
図３はアップハンドル用ハンドルカバーの装着口の図である。筒状カバー１の内側には、筒状カバー１の口と手袋2の口を一致している手袋２が内蔵されている。
また、ハンドルカバーの装着口５の周囲には装着用紐３が通っており、この装着用紐３の乗り物のハンドルに装着した時、上中心になる部分には、装着用紐３を引き出すことができる穴が設けてあり、この穴から引き出した装着用紐３に乗り物のハンドルグリップを通し、ハンドルカバーの装着口５から乗り物のハンドルグリップとブレーキ全体にハンドルカバーを通して被せ、装着用紐３を引き締め、乗り物のハンドルに結び付け装着する。
このことで引き出している装着用紐３にハンドルグリップが通った状態で、装着用紐３が引き締められるので、本発明のアップハンドル用ハンドルカバーは乗り物のハンドルグリップの根元にしっかり固定される。
図４で表している手の差し入れ口４は、アップハンドル用、フラットハンドル用共通である。
本発明のハンドルカバーの手の差し入れ口４から中を見ると、手袋２の内側であり、手を本発明のハンドルカバーに差し込むだけで手袋２をはめることができる。
図5は透明窓付きのアップハンドル用ハンドルカバーの、装着用紐３を通したハンドルカバーの装着口５から電動アップハンドル自転車に装着途中の図である。
装着用紐３を引き出している部分に乗り物のハンドルグリップ１４を通し、乗り物のハンドルグリップ１４とブレーキをハンドルカバーの装着口５から通し、乗り物のアシスト器具８にハンドルカバーの透明窓７を被せ、装着用紐３を引き締め、乗り物のハンドル９の根元に結び付け装着する。
図６はフラットハンドル用ハンドルカバー本体２０の内側の手袋２を点線で示したフラットハンドル用ハンドルカバーの平面図である。
スリット開き１２のある筒状カバー１の内側に乗り物のハンドルグリップを通すための帯１３が手の平にある手袋２を内蔵しており、
筒状カバー１のスリット開きの無い口と手袋２の口を、スリット開きのある側を親指側にして一致したハンドルカバーの手の差し入れ口４があり、スリット開きのある口は手袋２の親指側にあるスリット開き１２を残して閉じており、
スリット開き１２は装着用紐３のあるハンドルカバーの装着口５となっている。
図7は乗り物の左ハンドルに本発明のフラットハンドル用ハンドルカバーを、ハンドルカバーの装着口５となっているスリット開き１２から装着している図である。
筒状カバー１を乗り物のハンドルグリップ１４とブレーキ１５に被せ、次に、筒状カバー１の内側の手袋２の手の平にある帯１３に、乗り物のハンドルグリップ１４を通し、乗り物のハンドルグリップ１４とブレーキ１５に本発明のフラットハンドル用ハンドルカバー２０を被せ
乗り物のハンドル９に、前記、装着用紐３で結び付けて装着する。
左下の図はAの断面図であり、手袋２の手の平にある帯１３にハンドルグリップ１４を通している様子を示している。
電動フラットハンドルの乗り物には筒状カバー１に透明の窓を作ることで器具の操作が容易になる。
図８はオートバイの左ハンドルに装着している一例である。
オートバイはハンドルカバーを取り付けることが難しいフロントカバーが付いている形状のものが多いが、本発明のフラットハンドル用ハンドルカバー２０は、筒状カバー１の内側の手袋２の手の平にある帯１３に、乗り物のハンドルグリップ１４を通して装着するため、安定しやすく、
ハンドルカバーの装着口５にある装着用紐３をオートバイのフロントミラー１６に結び付けて装着することができる。
オートバイには指示器やライト等のボタンがハンドルグリップの付け根付近に点在しているため、親指６が筒状カバー１から自由に出し入れできるようにスリット開き１２を広くとっている。
この広くとっているスリット開き１２には、透明窓をつけることもできる。
【産業上の利用可能性】
【００１２】
本発明のアップハンドル用、フラットハンドル用ハンドルカバーの内側に内蔵している手袋は、ボタンや面テープ、ファスナーなどで簡単に取り外すことができる形態にすることで、紫外線防止用のハンドルカバーとしても利用ができる。
【符号の説明】
【００１３】
１    筒状のカバー
２    手袋
３    装着用紐
４    ハンドルカバーの手の差し入れ口
５    ハンドルカバーの装着口
６    親指
７    透明窓
８    乗り物のアシスト器具
９    乗り物のハンドル
１０    アップハンドル用ハンドルカバー本体
１２    スリット開き
１３    ハンドルグリップに通すための帯
１４    乗り物のハンドルグリップ
１５    乗り物のブレーキ
１６    乗り物のミラー
２０    フラットハンドル用ハンドルカバー本体
【図１】
2020147125.tif 000003
【図２】
2020147125.tif 000004
【図３】
2020147125.tif 000005
【図４】
2020147125.tif 000006
【図５】
2020147125.tif 000007
【図６】
2020147125.tif 000008
【図７】
2020147125.tif 000009
【図８】
2020147125.tif 000010